(57)【要約】【課題】ラップのみを消耗品としてこれを収納するラップ収納箱を固定式の永久使用品とし、省資源化を図ると共に、ラップ収納箱の形態を工夫し、ラップの引き出し、切断作業の効率化と安定化を図るようにした固定式ラップ収納箱を提供する。【解決手段】ラップ６の切断時においては切刃部１３を先端に形成するアーム部材４は下箱２の前面壁２ａの表面から離れ、鋭角度θの位置に拘束状態でセットされる。ラップ収納箱１の下箱２と上蓋３との間の微小隙間１０から引き出されたラップ６は下箱との前面壁２ａの上端の弧状部８に案内されてアーム部材４の切刃部１３に接触する。ラップ収納箱１は固定されているためこの状態でラップ６のみを切刃部１３に押圧することによりラップ６は容易に、かつ確実に切断される。なお、切断されたラップ６の上流側のラップ６ａは下箱２側にはりつかずに垂れ下る。よって、次の切断作業の容易化が図れる。【選択図】      図５
2004217253.tif 000002
【特許請求の範囲】
【請求項１】
固定的に設置され内部に筒状のラップを収納すると共に前記ラップを必要長さだけ切断する切断手段を有するラップ収納箱であって、該ラップ収納箱は、上方側に開口部を有する略Ｕ字形状の横断面を有し内部に細長な前記ラップを収納し得るラップ収納空間を形成するやや剛性のある下箱と、この開口部を閉止すべく前記下箱にヒンジ結合される上蓋と、下箱の前面壁の略中間部に基点を有し該基点から伸延し伸延端に切刃部を形成し前記ラップの横幅に略等しい寸法のアーム部材とを備えるものからなり、前記アーム部材は、前記下箱の前面壁に略当接する位置から所定の鋭角度θまで回動してその位置で拘束されるものからなることを特徴とする固定式ラップ収納箱。
【請求項２】
前記下箱の前面壁の前記上蓋側の上端部は弧状に形成され、前記上蓋の下面は、閉止位置において前記弧状の端部から少なくとも前記ラップの通過可能の微小隙間を有する位置に配置されることを特徴とする請求項１に記載の固定式ラップ収納箱。
【請求項３】
前記上蓋は、略透明体又は内部に収納されている前記ラップを目視できる窓を形成するものからなることを特徴とする請求項１又は２に記載の固定式ラップ収納箱。
【請求項４】
前記下箱には、該下箱を任意の固定体側に固定するための固定手段が設けられることを特徴とする請求項１乃至３のいずれかに記載の固定式ラップ収納箱。
【請求項５】
前記下箱の内部には、下箱の長手方向の寸法を可変にするための調整ブロックが収納されることを特徴とする請求項１乃至５のいずれかに記載の固定式ラップ収納箱。
【発明の詳細な説明】
【０００１】
【発明の属する技術分野】
本発明の食料包装用ラップ等の筒状のラップを収納すると共に該ラップを引き出して所定の長さに切断する切断手段を有する固定式ラップ収納箱に関する。
【０００２】
【従来の技術】
食料包装用ラップとしてはビニール製のものやアルミ箔のような薄肉のシート部材を筒体状に巻回したものが一般に用いられている。従来技術ではこのラップ６は図６に示すように単体として販売されるものはなく、主として紙製の収納箱２１内に収納された状態で流通されている。即ち、従来のラップ収納箱２０はラップ６と収納箱２１とが一体のものからなる。収納箱２１はラップ６を内部に収納し得る密閉状の箱体からなり、上蓋２４に相当する部分の前面２２にはラップ６を切断するための切刃部２３が一体的に設けられているものが大部分である。
【０００３】
【発明が解決しようとする課題】
図６に示したラップ収納箱２０によりラップ６を切断する場合には、まず、上蓋２４を開け、下箱２５の前面にへばり付いて少し垂れ下っているラップ６の端部をまくり上げて適宜長さだけ引き出し、ここで上蓋２４を閉め、ラップ収納箱２０の全体を片手で把持した状態でラップ６を上方に引き上げ切刃部２３によりラップ６を切断する方法が採用されている。ラップ６を全部使い切った後には、ラップ６の芯体（図略）を残した状態で収納箱２１ごと廃棄処分するのが一般である。そのため、再使用が可能である収納箱２１等が廃棄物となり、多量の廃棄物を生じさせて省資源化に反する結果となる。また、収納箱２１はリサイクルできるとしても切刃部２３を除去する必要があるものが多く、リサイクルコストが高くなる。また、前記のように、ラップ６を切断する作業は、下箱２５にへばりついているラップ６をめくり上げ、ラップ収納箱２０の全体を一方の手で把持しもう一方の手でラップ６を引き出し、切刃部２３により切断する作業が必要となり、ラップ６の切断作業に慣れている主婦でもこの作業は面倒である。また、ラップ６は剛性の低い紙状の収納箱２１内に空隙を有する状態で収納されているため、引き出し時に内部にあるラップ６の左右端が収納箱側に干渉したり、ひっかかったりして、ラップ６の引き出しや切断が円滑に行われない問題点がある。
【０００４】
本発明は、以上の問題点を解決するもので、ラップと収納箱とを別々に流通販売し得るものとし、収納箱は略永久使用の固定式のものとし、ラップのみを消耗品として入れ替え購入して収納箱におさめ、かつラップの使用時には収納箱を把持することなくラップのみの引き出して切断することにより目的を達することができラップ引き出し切断の作業の容易化を図ると共に、少なくとも収納箱を廃棄物としないで省資源化を図ることができる固定式ラップ収納箱を提供することを目的とする。
【０００５】
【課題を解決するための手段】
本発明は、以上の目的を達成するために、請求項１の発明は、固定的に設置され内部に筒状のラップを収納すると共に前記ラップを必要長さだけ切断する切断手段を有するラップ収納箱であって、該ラップ収納箱は、上方側に開口部を有する略Ｕ字形状の横断面を有し内部に細長な前記ラップを収納し得るラップ収納空間を形成するやや剛性のある下箱と、この開口部を閉止すべく前記下箱にヒンジ結合される上蓋と、下箱の前面壁の略中間部に基点を有し該基点から伸延し伸延端に切刃部を形成し前記ラップの横幅に略等しい寸法のアーム部材とを備えるものからなり、前記アーム部材は、前記下箱の前面壁に略当接する位置から所定の鋭角度θまで回動してその位置で拘束されるものからなることを特徴とする。切刃部のあるアーム部材を鋭角度θだけ前倒した状態でラップの切断作業が行われ、かつアーム部材は下箱の略中間部に基点を有する状態で取り付けられているため、切断箇所より上流側のラップは下箱の前面壁の表面に垂れ下った状態になる。よって、上蓋を開けることなく、ラップを引き出すことが容易にできる。即ち、前面壁側に当初略当接して折り畳まれていたアーム部材を鋭角度θの位置まで回動し、その切刃部により引き出されたラップを切断することができる。なお、アーム部材は鋭角度θの位置で拘束されるため、ラップの切断は確実に行われる。また、収納箱は固定され、かつ下箱はやや剛性のある材質，形状のものから形成されているため、ラップ切断作業は従来の紙製の収納箱に較べて確実に行われ、切断不良等も生じにくい。また、ラップを使い切ったらラップのみを入れ換えすればよく、省資源化に貢献できる。
【０００６】
また、請求項２の発明は、前記下箱の前面壁の前記上蓋側の上端部は弧状に形成され、前記上蓋の下面は、閉止位置において前記弧状の端部から少なくとも前記ラップの通過可能の微小隙間を有する位置に配置されることを特徴とする。下箱の前面壁の上端部が弧状に形成されているため、ラップはこの弧状の上端部に沿って円滑に支持されながら切断されるため切断が円滑に行われる。また、この弧状の上端部と上蓋の下面との間には微小隙間があり、ラップの流通が円滑に行われ、かつラップの上下方向への自由移動がある程度拘束されるため円滑なラップ切断が行われる。
【０００７】
また、請求項３の発明は、前記上蓋は、略透明体又は内部に収納されている前記ラップを目視できる窓を形成するものからなることを特徴とする。これにより、上蓋側からラップの消耗状態が確認され、ラップの補完のタイミングを正確に知ることができる。
【０００８】
また、請求項４の発明は、前記下箱には、該下箱を任意の固定体側に固定するための固定手段が設けられることを特徴とする。固定手段を用いることによりラップ収納箱全体は固定体側に確実に固定され、ラップ切断を片手で容易に行うことができる。
【０００９】
また、本発明の請求項５の発明は、前記下箱の内部には、下箱の長手方向の寸法を可変にするための調整ブロックが収納されることを特徴とする。これにより、共通のラップ収納箱を用いて長さの異なるラップを収納し切断することができる。
【００１０】
【発明の実施の形態】
以下、本発明の固定式ラップ収納箱の実施の形態を図面を参照して詳述する。図１は本発明の固定式ラップ収納箱１の全体構造を示す斜視図である。固定式ラップ収納箱１（以下、単にラップ収納箱１と言う）は大別して、下箱２と、上蓋３と、アーム部材４と、下箱２を図略の任意の固定体１８側に固定するための固定手段５（図２）等とからなる。なお、筒体（図示では円筒体）のラップ６は単体で流通販売するものからなり、下箱２内に収納可能な形態のものからなる。
【００１１】
下箱２は、図１，図２に示すように上方に開口部７を形成する略Ｕ字形状の横断面の細長な箱体からなり、木製や樹脂製のやや剛性のあるものからなる。即ち、前面壁２ａと底面２ｂと後面壁２ｃと両端を閉止する左壁２ｄと右壁２ｅ等とにより囲まれたものからなる。この横方面の長さはラップ６の横長さにほぼ等しいものからなり、かつ深さは使用前のラップ６が少なくとも開口部７からはみ出さない程度のものからなる。また、図２に示すように、前面壁２ａの開口部７側の端部には弧状部８が形成される。また、この弧状部８の上面は後面壁２ｃの上端面より微小寸法δだけ低い位置に形成される。
【００１２】
上蓋３は、下箱２の開口部７を閉止する平板部材からなり、その後面をヒンジ９により下箱２に連結するものからなる。なお、図２に示すように上蓋３は閉止状態においては下箱２の後面壁２ｃや左右壁の上端面にその下面を当接し、後面壁２ｃに対し、略直角の状態（水平状態）で開口部を閉止するものからなる。従って、上蓋３の下面と前面壁２ａの弧状部８との間には微小寸法δに相当する微小隙間１０が形成される。また、上蓋３は透明又は略透明のものでもよいが、下箱２と同一材質で無垢の場合には、図１，図２に示すように透明窓１１を形成するものからなる。これにより、内部の観察ができ、ラップ６の消耗状態を目視することができる。
【００１３】
次に、アーム部材４の構造を図１乃至図３（ａ），（ｂ）により説明する。アーム部材４はその基点１２を下箱２の前面壁２ａの表面の略中間部に配置し、基点１２から伸延しその伸延端に切刃部１３を設けるものからなり、その横幅は下箱２の横幅とほぼ等しいものからなる。なお、切刃部１３はラップ６を切断し得る形状のものからなり、一体的に形成されるか又は別体のものを固定するものでもよい。このアーム部材４は基点１２を中心に回動すべく下箱２の前面壁２ａに支持されるもので、前面壁２ａの表面にほぼ沿う垂直状態の収納位置から図２に示すように鋭角度θだけ回動しその位置で拘束される構造からなる。
【００１４】
次に、基点１２まわりの詳細構造を図２及び図３（ａ），（ｂ）により説明する。アーム部材４の基点１２側には図３に示すような逆コ字形状の保持具１４が一体的に形成され、この保持具１４の保持ピン１５は支持ピン１６に枢支される。一方、支持ピン１６は下箱２の前面壁２ａの表面に固定されるＬ型支持具１７に垂直方向を向いて固定される。また、Ｌ型支持具１７の上面はアーム部材４が鋭角度θだけ回動した場合での保持具１４の下面と圧接する位置に形成される。以上の構造によりアーム部材４は保持具１４の保持ピン１５を中心として回動でき、前面壁２ａ側に略当接する位置に折り畳まれた状態で収納される。一方、アーム部材４は保持ピン１５を中心として鋭角度θの位置まで回動し、保持具１４の下端がＬ型支持具１７の上面に当接した状態でそれ以上の回動が拘束される。この拘束される位置にあるアーム部材４によりラップ６の切断が行われる。
【００１５】
図２に示すように下箱２の底面２ｂ側の両側縁には固定手段５が設けられ、この固定手段５を用いてラップ収納箱１を固定体１８に固定することができる。なお、固定手段５として例えば、磁石のようなものが挙げられるが、勿論、これに限定するものではない。
【００１６】
また、図１に示すように、下箱２内には適宜長さの調整ブロック１９が着脱可能に収納される。この調整ブロック１９は横幅の寸法の異なるラップ６を下箱２間にガタつきなく収納するためのものであり、各種の寸法のものを準備することにより寸法の異なるラップ６を単一のラップ収納箱１内に収納して使用できる。勿論、ラップ６の種類が限定している場合にはこの調整ブロック１９は不要である。
【００１７】
次に、本発明のラップ収納箱１を用いてのラップ６の切断方法を図４，図５により説明する。図４に示すように、別体品として販売されているラップ６を上蓋３を開放して下箱２内に収納し、その端部を少し引き出した状態で上蓋を閉止する。この初期状態ではアーム部材４は図示のように下箱２の前面壁２ａに略当接する垂直方向の位置に折り畳み収納される。なお、この場合、図示のようにアーム部材４の切刃部１３は引き出されているラップ６の下面からやや離れた位置にある。また、前記したようにラップ収納箱１は全体として図略の固定体側に固定されている。
【００１８】
次に、ラップ６の切断方法を説明する。図５に示すように、アーム部材４を鋭角度θの位置まで倒し、ここで拘束させる。ラップ収納箱１から予め少し引き出されているラップ６の端部を把持し、適宜長さだけ引き出し、アーム部材４の切刃部１３に押圧して押し下げることによりラップ６は切断される。この場合、従来技術のようにラップ収納箱１を把持する必要は全くなく、ラップ６のみを把持すればよい。よってラップ６の切断作業は極めて簡単に行われる。ラップ６を切断しても、切断されたラップ６の上流側にあるラップ６ａの部分がラップ収納箱１の前面壁２ａからはみ出した状態にあり、この状態でアーム部材４を図４に示した位置に折り畳み収納することによりラップ６ａは前面壁２ａにへばりつかない自由状態となる。よって、ラップ６の次の引き出し作業が容易に行われる。以下、同様の作業を繰返し行うことによりラップ６の切断が円滑に、かつ効率的に行われる。
【００１９】
ラップ６は下箱２内に安定支持され、かつ下箱２の前面壁２ａの上端部に弧状部８が形成されており、かつ微小隙間１０が確保されているため、ラップ６の引き出し及び切断作業は従来のものに較べて極めて円滑に行われる。また、ラップ６の消耗具合は上蓋の窓１１から目視できる。また、ラップ６のサイズが異なっても、調整ブロック１９を用いることにより単一のラップ収納箱１を入れ換える必要がなく、ラップ収納箱１は永久的に使用される。これにより省資源化に大きく貢献する。
【００２０】
【発明の効果】
以上の説明により明確のように、本発明は従来技術では収納箱と中味のラップとが一体的形態として販売されている従来の常識を破り、消耗品のラップと収納箱とを別離して販売流通することを基本原則として発明されたものであり、更に、ラップ収納箱の構造を工夫し、ラップの引き出し作業の容易化と切断作業の容易化を図り、これにより省資源化と作業の効率化を図る効果を上げることができる。
【図面の簡単な説明】
【図１】本発明のラップ収納箱の全体構造を示す斜視図。
【図２】図１の横断面図。
【図３】図１，図２におけるアーム部材の基点まわりの詳細構造を示す部分上面図（ａ）及びそのＡ−Ａ線断面図（ｂ）。
【図４】ラップをラップ収納箱に収納した初期状態の形態を示す横断面図。
【図５】本発明のラップ収納箱を用いたラップ切断作業を説明するための横断面図。
【図６】従来のラップ収納箱の概要構造を示す斜視図。
【符号の説明】
１    固定式ラップ収納箱（ラップ収納箱）
２    下箱
２ａ  前面壁
２ｂ  底面
２ｃ  後面壁
２ｄ  左壁
２ｅ  右壁
３    上蓋
４    アーム部材
５    固定手段
６    ラップ
６ａ  ラップ
７    開口部
８    弧状部
９    ヒンジ
１０  微小隙間
１１  透明窓
１２  基点
１３  切刃部
１４  保持具
１５  保持ピン
１６  支持ピン
１７  Ｌ型支持具
１８  固定体
１９  調整ブロック
【図１】
2004217253.tif 000003
【図２】
2004217253.tif 000004
【図３】
2004217253.tif 000005
【図４】
2004217253.tif 000006
【図５】
2004217253.tif 000007
【図６】
2004217253.tif 000008